(57)【要約】  【課題】  影を作ることなく広い領域を照射可能でありながら、作業に必要な領域に確実に投光することができるブラスト作業用照明装置を提供する  【解決手段】  ブラスト装置のノズル部分１０１に鍔状に挟装可能に構成され、前記ブラスト装置の研削材射出方向に投光するように配置された複数の発光素子１０を備えた照明装置である。投光裏面８に設けられた放熱フィン９と、投光面６に開口して設けられた有底の発光素子収納部７と、前記発光素子収納部７の開口を閉塞する透明蓋１２を備え、内側面３が円弧状に構成された容器状の複数の金属製のブロック部材２ａ，２ｂが複数組み合わされて構成され、前記発光素子１０は、前記ブラスト装置のノズル１０２の軸に対して周方向に均等になるように、前記各ブロック部材の発光素子収納部の底面７ａに直接搭載されている。【選択図】  図１
2013169629.tif 000002
【特許請求の範囲】
【請求項１】
ブラスト装置のノズル部分に鍔状に挟装可能に構成された照明装置であって、
投光面に開口して設けられた有底の発光素子収納部と、前記発光素子収納部の開口を閉塞する透明蓋と、前記発光素子収納部の底面を構成し投光裏面に設けられる金属製の放熱フィンとを備える複数の容器状のブロック部材が複数組み合わされて構成され、
前記ブラスト装置のノズルの軸に対して周方向に均等になるように、前記各ブロック部材の発光素子収納部の底面に直接搭載され、前記ブラスト装置の研削材射出方向に投光するように配置された複数の発光素子を備えていることを特徴とするブラスト装置用の照明装置。
【請求項２】
前記ブロック部材は、アルミニウムを主成分とする金属で構成されていることを特徴とする、請求項１に記載の照明装置。
【請求項３】
前記ブロック部材は半円弧形状に構成されており、該側面に巻き回されて帯状結束部材により前記ノズル部分に挟装されることを特徴とする、請求項１又は２に記載の照明装置。
【請求項４】
さらに、前記透明蓋に被覆して設けられる網状部材を備えることを特徴とする、請求項１から３のいずれか１つに記載の照明装置。
【請求項５】
作業者に装着可能な携帯式バッテリーを電源装置として有することを特徴とする、請求項１から４のいずれか１つに記載の照明装置。
【請求項６】
前記発光素子は、発光ダイオードであることを特徴とする、請求項１から５のいずれか１つに記載の照明装置。
【請求項７】
ブラスト装置のノズル部分に鍔状に装着され、投光面に開口して設けられた有底の発光素子収納部と、前記発光素子収納部の開口を閉塞する透明蓋と、前記発光素子収納部の底面を構成し投光裏面に設けられる金属製の放熱フィンとを備えて容器状をなし、
前記ブラスト装置のノズルの軸に対して周方向に均等に前記発光素子収納部の底面に直接搭載され、前記ブラスト装置の研削材射出方向に投光するように構成されている発光素子を有することを特徴とするブラスト装置用の照明装置。
【発明の詳細な説明】
【技術分野】
【０００１】
本発明は、ブラスト作業において用いられるブラスト装置のノズル部分に装着されるブラスト作業用照明装置に関する。
【背景技術】
【０００２】
ブラスト加工は、コンプレッサーによる圧縮空気にアルミナや珪砂などの研削材を混ぜて吹き付ける加工方法であり、処理材表面の錆取り、塗装剥がし、下地処理などの目的に広く用いられている。具体的な例としては、造船ブロックや橋梁において、塗面を粗面に加工して塗膜を強固に付着させる目的などに用いられている。
【０００３】
ブラスト加工に用いられるブラスト装置は、通常、内部に研削材を収容したブラストタンクと、このブラストタンクから延びる噴出ホースと、この噴出ホースの先端部に設けられたノズル部分と、研削材をノズル部分から噴出させるためのコンプレッサー等の高速気流発生装置とで構成されている。また、噴出ホースの先端部に設けられたノズル部分は、高速気流に混ざった研削材を噴出させる射出ノズルと、この射出ノズルと噴出ホースを連結するノズルフォルダとで構成されている。
【０００４】
そして、ブラスト加工の作業は、騒音と多量の粉塵が発生するため、一般に密閉された空間内での作業となることが多い。また、作業者は研削材及びそれによる粉塵から体を守るため、重厚な防護服と全面防塵マスクやゴーグルなどを着用する。このため、ブラスト作業において、一般的には作業性と視野はきわめて悪いのが現状である。したがって、上記のように、ブラスト装置及び作業空間に照明装置が不十分な場合は、作業効率、加工精度が大幅に低下する傾向があった。
【０００５】
このため、作業用照明は安全には欠かせない重要なツールであるものの、多くは市販の乾電池式の懐中電灯を射出ノズルに取り付けたり（特許文献１）、ヘルメットライトや作業空間に設けられた一般的な投光器などが使用されるなどの方法が実際にはとられている。
【０００６】
特許文献１に記載されているブラスト装置用の照明器具は、磁石が吸着するノズルフォルダに、照明器具の長さ方向に沿って取り付けられた棒状磁石を用いて吸着させたものであり、ノズルの研削材吐出方向からブラストの作業箇所に局所的に投光する照明器具である。
【先行技術文献】
【特許文献】
【０００７】
【特許文献１】実用新案登録第３１５６１３９号公報
【発明の概要】
【発明が解決しようとする課題】
【０００８】
しかし、特許文献１に記載の照明器具は、ノズルフォルダが磁性体で構成されている必要があるため、使用可能なブラスト装置が限られており、また、ノズルに対して特定の一箇所からの投光であるため、照明器具の反対側は依然として暗く、作業領域を広く照射することはできなかった。また、照射領域が狭く、足下や作業領域全体を照射することができず、作業者の安全面に問題が生じる場合や作業の効率が低下するなどの問題があった。
【０００９】
これに対して、ノズルフォルダとは別の部材、例えば、ヘルメットや壁面に投光器などを設ける場合は、照射範囲が比較的広くなるという利点はあるが、一般的な投光器はいずれも点灯時間、照射不足、防爆性などの課題があり、また、照明のための仮設配線などが作業の障害になるなど、いずれもブラスト作業用の照明装置として適しているとは言えないのが現状であった。また、研削材の吐出方向を必ずしも照明しているとは限らず、作業者自身や作業空間に存在する部材の影が発生し、作業効率が悪いという問題があった。
【００１０】
したがって、本発明が解決しようとする技術的課題は、影を作ることなく広い領域を照射可能でありながら、作業に必要な領域に確実に投光することができるブラスト作業用照明装置を提供することである。
【課題を解決するための手段】
【００１１】
本発明は、上記技術的課題を解決するために、以下の構成のブラスト作業用照明装置を提供する。
【００１２】
本発明は、ブラスト装置のノズル部分に鍔状に装着され、投光面に開口して設けられた有底の発光素子収納部と、前記発光素子収納部の開口を閉塞する透明蓋と、前記発光素子収納部の底面を構成し投光裏面に設けられる金属製の放熱フィンとを備えて容器状をなし、
前記ブラスト装置のノズルの軸に対して周方向に均等に前記発光素子収納部の底面に直接搭載され、前記ブラスト装置の研削材射出方向に投光するように構成されている発光素子を有することを特徴とするブラスト装置用の照明装置を基本的構成とする。
【００１３】
本発明の具体的な第１態様によれば、ブラスト装置のノズル部分に鍔状に挟装可能に構成された照明装置であって、
投光面に開口して設けられた有底の発光素子収納部と、前記発光素子収納部の開口を閉塞する透明蓋と、前記発光素子収納部の底面を構成し投光裏面に設けられる金属製の放熱フィンとを備える複数の容器状のブロック部材が複数組み合わされて構成され、
前記ブラスト装置のノズルの軸に対して周方向に均等になるように、前記各ブロック部材の発光素子収納部の底面に直接搭載され、前記ブラスト装置の研削材射出方向に投光するように配置された複数の発光素子を備えていることを特徴とするブラスト装置用の照明装置を提供する。
【００１４】
本発明の第２態様によれば、前記ブロック部材は、アルミニウムを主成分とする金属で構成されていることを特徴とする、第１態様の照明装置を提供する。
【００１５】
本発明の第３態様によれば、前記ブロック部材は半円弧形状に構成されており、該側面に巻き回されて帯状結束部材により前記ノズル部分に挟装されることを特徴とする、第１又は第２態様の照明装置を提供する。
【００１６】
本発明の第４態様によれば、さらに、前記透明蓋に被覆して設けられる網状部材を備えることを特徴とする、第１から第３態様のいずれか１つの照明装置を提供する。
【００１７】
本発明の第５態様によれば、作業者に装着可能な携帯式バッテリーを電源装置として有することを特徴とする、第１から第４態様のいずれか１つの照明装置を提供する。
【００１８】
本発明の第６態様によれば、前記発光素子は、白色発光ダイオードであることを特徴とする、第１から第５態様のいずれか１つの照明装置を提供する。
【発明の効果】
【００１９】
本発明によれば、ブラスト装置のノズル部分（射出ノズル又はノズルフォルダ）に設けられ研削材射出方向に投光するように構成された鍔状形の照明装置であるから、射出ノズルの軸に対して全周的に光源である発光素子が設置される。よって、ノズル部分により一部の作業領域への投光が遮蔽されることなく、作業領域全体を照射することができる。また、投光方向がノズル部分の研削材射出方向であることから、ノズルがどちらを向いているかを第三者が視認することが可能である。
【００２０】
また、発光素子は、開口部分を透明蓋で閉塞される状態で容器状に構成された部材の内部に収納されるため、ノズルから射出された研削材に対する耐粉塵性、耐摩耗性などの問題を解消することができる。また、透明蓋に閉塞させる網状部材を用いることで、射出された研削材の跳ね返りによって透明蓋が損傷することを防止することができ、また、透明蓋を透過する照明を遮蔽することを防止することができる。
【００２１】
また、アルミニウムなどの金属製の放熱フィンに発光素子を直接搭載することにより、放熱フィンを介しての放熱の効率がよく、高輝度の発光素子を用いた場合であっても、発熱を少なくすることができる。また、ブロック部材は内面が円弧状に構成されており、ノズル部分に挟装される際に、ノズル部分の径の違いに関係なく装着することができる。
【００２２】
ブロック部材を半円弧状に構成し、２つを組み合わせて帯状結束部材でノズル部分に設けることで、照明装置のノズル部分への取り付けを簡単にすることができる。
【００２３】
また、発光素子の電源として携帯式バッテリーを用いることで、照明用仮設配線をなくすことができ、作業の効率を高めることができる。すなわち、ブラスト装置には、研削材の噴出ホース、射出用圧縮空気の供給管、マスクへの空気供給管などが接続されており、それに加え照明用の仮設配線が周囲に敷設されていることがあるため、作業効率、安全面で課題があったが、作業者がバッテリーを携行することにより仮設配線をなくすことができ、取り回しを容易にすることができる。また、商用電源を使用することがなく防爆性の問題を解消することができる。
【図面の簡単な説明】
【００２４】
【図１】本発明の実施形態にかかるブラスト作業用照明装置の正面側の構成を示す斜視図である。
【図２】図１のブラスト作業用照明装置の背面側の構成を示す斜視図である。
【図３】図１のブラスト作業用照明装置を取り付けた状態を示す図である。
【図４】図１のIV−IV線における断面図である。
【図５】図１のブラスト作業用照明装置の回路構成を示す図である。
【図６】本発明の他の実施形態にかかるブラスト作業用照明装置の正面側の構成を示す斜視図である。
【図７】図６の照明装置の取り付け構成を示す模式図である。
【図８】本発明の実施形態にかかるブラスト作業用照明装置に用いられるブロック部材の変形例を示す断面図である。
【発明を実施するための形態】
【００２５】
以下、本発明の一実施形態に係るブラスト作業用照明装置について、図面を参照しながら説明する。図１は、本発明の実施形態にかかるブラスト作業用照明装置の正面側の構成を示す斜視図である。実施形態にかかる照明装置１はブラスト装置１００のノズル部分１０１に着脱自在に装着されるものである。
【００２６】
ブラスト装置１００は、一般に研削材を収容するタンク（図示なし）から研削材が送られ、圧縮空気と供に射出する装置である。研削材を搬送するホース１０４の先端にはノズルフォルダ１０３が設けられており、研削材を射出する射出ノズル１０２を取り付け可能に構成されている。以下、射出ノズル１０２とノズルフォルダ１０３を総称してノズル部分１０１と表記する。ノズル部分１０１の大きさは、射出する研削剤の量などに応じて種々のサイズのものが存在しており、また、射出ノズルも長さや径寸法が異なる種々のものを用途に合わせて使用する。
【００２７】
図３に示すノズル部分１０１では、研削材と圧縮空気とを一緒に供給するホース１０４の先端に設けられているノズルフォルダ１０３の先端側には雌ネジが設けられており、射出ノズル１０２に設けられている雄ネジと螺合することによって両者が連結される。
【００２８】
本実施形態にかかる照明装置１は、図１に示すように、半円弧形状の２つのブロック部材２ａ，２ｂにより構成されている。それぞれのブロック部材２ａ，２ｂは、ノズルフォルダ又は射出ノズルに装着される。
【００２９】
２つのブロック部材２ａ，２ｂは、それぞれのブロック部材２ａ，２ｂの挟持面３でノズル部分１０１を挟持するように配置されるため、照明装置１はノズル部分１０１に鍔状に取り付けられる。２つのブロック部材２ａ、２ｂは、照明装置１のノズル部分への装着時において射出ノズル１０２の研削材射出方向と同方向に光を照射し、ブラスト装置の作業領域を照明する。
【００３０】
照明装置１は、ノズル部分１０１に鍔状に取り付けられているため、射出ノズルの軸に対して全周方向から光を照射することができる。これにより、射出領域が射出ノズル１０２によって部分的に影になることがなく、作業領域を広域に照明することができる。
【００３１】
本実施形態にかかる照明装置１の外径寸法は、概ね１０から１５ｃｍ程度であり、ノズル部分１０１を狭持する挟持面３によって画定される内腔部分の径寸法は概ね５ｃｍ弱となるように構成されている。照明装置１の大きさは、用いられるブラスト装置のノズル部分１０１の大きさに合わせて適宜変更できる。
【００３２】
２つのブロック部材２ａ，２ｂをノズル部分に取り付けるための構成として、本実施形態では、ブロック部材の外壁４に沿って巻き回されて、２つのブロック部材を結束する帯状の結束部材５が用いられる。結束部材５としては、例えば公知の金属製の結束バンドなどを使用することができる。２つのブロック部材２ａ，２ｂを組み合わせて結束部材５を用いてノズル部分１０１に挟装する構成を採用することにより、ノズル部分１０１の外形寸法が多少大きくても装着可能であり、種々の口径のブラスト装置に汎用的に使用することができる。
【００３３】
図４に示す断面図に示すように、それぞれのブロック部材２ａ，２ｂは所定の厚みを持つ半円弧形状の金属製の部材である。本実施形態にかかるブロック部材２ａ，２ｂの厚み寸法は、３〜５ｃｍ程度である。ブロック部材２ａ，２ｂの本体を構成する材質としては、熱伝導性に優れ軽量である点でアルミニウムを主成分とする金属を好適に用いることができるが、銅、ステンレスなど他の金属で構成されていてもよい。ブロック部材２ａ，２ｂの投光面６側には有底の発光素子収納部７が、投光裏面８には放熱フィン９がそれぞれ設けられている。放熱フィン９は、効率よくブロック部材２ａ，２ｂの熱を外気に放熱できるものであればよく、その形状、枚数などは任意に設計可能である。
【００３４】
発光素子収納部７は、ブロック部材の投光面形状とほぼ同形に開口された深さ寸法が約１から３ｃｍ程度の有底孔である。発光素子収納部７の底面７ａには、ＬＥＤ素子１０が直接搭載されており、通電時の発熱をブロック部材２ａ，２ｂの本体を通じて外部に放熱可能となっている。また、発光素子収納部の底面７ａには、ＬＥＤ素子に通電するための電力線７ｃを収納するための案内溝７ｄが設けられており、ＬＥＤ素子１０からの光を効果的に投光できるように構成されている。
【００３５】
本実施形態で使用するＬＥＤ素子１０は、例えば、アルミ基板搭載済のパワーＬＥＤであり、色温度６５００〜７０００Ｋ程度の白色発光のものを好適に使用することができる。ＬＥＤ素子を発光素子収納部の底面に貼付するために、例えば熱伝導に優れた接着剤を用いることができる。発光による発熱は、ＬＥＤ素子１０の基板１０ａを通してブロック部材の本体に電熱し、ブロック部材２ａ，２ｂの投光面から外気へ自然放熱される。なお、自然放熱はブロック素子２ａ，２ｂの背面に設けられている放熱フィン９によってより促進される。
【００３６】
本実施形態では、ＬＥＤ素子１０はそれぞれのブロック部材について発光面である発光素子収納部７の開口に対して略均等になるように３つ設けられており、図５に示すように、定電流回路１１に対し直列となるように配線されている。なお、使用されるＬＥＤ素子１０の数については特に限定されるものではなく、必要とする照度や照射領域に応じて適宜変更することができる。本実施形態では、ＬＥＤ素子をブロック部材ごとに並列配線していることで、いずれかのブロック部材が断線しても残りのブロック部材の発光を確保可能である。
【００３７】
発光素子収納部７には、外部電源から供給される電流を使用可能な状態に変換する定電流回路１１が設けられる。定電流回路１１により回路電流を制御することで、最適な光量とＬＥＤ素子の長寿命化、過剰発熱防止を図ることができる。定電流回路１１は、使用する電源に応じて回路構成が異なるが、使用するＬＥＤ素子の仕様に合わせて、本実施形態では出力電流が６５０〜７００ｍＡ程度となるように変換される。なお、定電流回路１１は、ＬＥＤ素子１０に供給される電流量を調整するための調整回路を有していてもよく、これを用いることにより、ＬＥＤ素子１０の輝度を調整することができる。
【００３８】
なお、発光素子収納部７の内壁７ｂは、本実施形態では、底面７ａに対して直立した平面で構成されているが、反射曲面に構成してＬＥＤ素子からの発光方向を調整するように構成してもよい。
【００３９】
発光素子収納部７の開口は透明蓋１２で閉塞されている。発光素子収納部７の開口を閉塞する透明蓋１２は、透明な合成樹脂又は強化ガラスなどで構成されており、本実施形態では、ＬＥＤ素子から照射される光を集光あるいは分散させるレンズ効果を有さず擦り加工がされていない無色透明版部材で構成されている。これにより、ＬＥＤ素子から出る光を加工せずそのまま対象領域へ照射することとなるため、研削材の射出方向は高輝度に照明される一方、その周辺領域はＬＥＤ素子からの拡散光によって照明され、必要な部分を高輝度に維持しながら広い領域を照明することができる。なお、透明蓋１２は、集光分散を行うための加工を施してもよく、また、着色透明に構成されていてもよい。
【００４０】
本実施形態では、使用時において射出された研削材が跳ね返って透明蓋１２に当たり、透明蓋１２が損傷することを防止するために、図４に示すように、ブロック部材２ａ，２ｂの表面側にカバー部材１３を取り付けるようにしてもよい。カバー部材としては、ＬＥＤ素子１０からの光を遮光することを防止するために網状の部材を用い、透明蓋１２の前面側に脱着可能に配置するように構成されていることが好ましい。網目の大きさは、細かくすることによって研削材が透明蓋１２に衝突することを防止することができるが、あまりに細かくするとＬＥＤ素子１０からの光が遮光されるため、使用条件や目的に応じて適宜好適なものを使用すればよい。
【００４１】
本実施形態において、照明装置の供給電源として携帯バッテリー１４を使用する。携帯バッテリーは、例えば、二次電池などを作業者の身体に装着可能にしたものであり、出力電圧１２から２４Ｖ程度のものを用いることができる。本実施形態においては、省電力光源であるＬＥＤ素子を用いているため、小型の携帯バッテリーを用いた場合であっても、長時間の使用を可能とすることができる。また、ブラスト装置の作業者の周囲には、研削材の噴出ホース、射出用圧縮空気の供給管、マスクへの空気供給管などが接続されており、それに加え照明用の仮設配線が周囲に敷設されていることがあるため、作業効率、安全面で課題があったが、作業者がバッテリーを携行することにより仮設配線をなくすことができ、装置の取り回しを容易にすることができる。
【００４２】
なお、供給電源としては、バッテリー１４に限定されるものではなく、交流電源を使用してもよい。交流電源は上記の定電流回路を交流電源用のものを用いることで、使用可能であり、連続した長時間の使用を実現することができる。
【００４３】
以上説明したように、本実施形態にかかる照明装置１によれば、ブラスト装置のノズル部分１０１に鍔形状の照明装置１を設け、研削材射出方向に投光するように構成された鍔状形の照明装置であるから、射出ノズルの軸に対して全周的に光源であるＬＥＤ素子１０が設置される。よって、ノズル部分１０１により一部の作業領域への投光が遮蔽されて影になることがなく、作業領域全体を照射することができる。よって、作業領域を効率よく照射して作業の進捗確認を容易にするため、打ち残しや作業ムラなどをなくし、作業効率を向上させることができるため、研削材の使用量を少なくすることができる。また、足下などの周囲も照明されることから作業の安全性を向上させることができる。
【００４４】
また、投光方向がノズル部分の研削材射出方向であることから、ノズルがどちらを向いているかを第三者が視認することができることから、他の作業者の誤射からの回避が容易となる。
【００４５】
また、ＬＥＤ素子１０は、開口部分を透明蓋で閉塞される状態で容器状に構成されたブロック部材２ａ，２ｂの内部に収納されるため、射出ノズル１０２から射出された研削材に対する耐粉塵性、耐摩耗性などの問題を解消することができる。また、透明蓋１２に閉塞させるカバー部材１３を用いることで、射出された研削材によって透明蓋１２が損傷することを防止することができ、また、透明蓋を透過する照明を遮蔽することを防止することができる。
【００４６】
なお、本発明は上記実施形態に限定されるものではなく、その他種々の態様で実施可能である。例えば、上記実施形態では、照明装置は半円弧状の２つのブロック部材により構成されているが、照明装置を構成するブロック部材の数は３つ以上であってもよい。また、ブロック部材をノズル部分に挟装する部材として、外壁に巻き回される金属ベルトを用いているが、この構成に限られるものではなく、複数のブロック部材を脱着可能に連結できるものであれば広く適用可能である。
【００４７】
また、図６に示すように、照明装置２０を環状に構成し、中央に設けられている挿通孔２１にノズル部分１０１を挿入することによりブラスト装置に装着させる構成を取ることができる。このとき、図７に示すように、照明装置２０とノズル部分とを固定するために、ノズル部分１０１に外装された断面くさび状の固定部材２２を用いることが可能である。固定部材２２は、ノズル部分と別の部材であってもよいし、ノズルフォルダ１０３などの一部に一体的に構成されたものであってもよい。
【００４８】
また、図８に示すように、図１のブロック部材の変形例として、ブロック部材の発光素子収納部の底面７ａ及び放熱フィンを構成する一体の金属部材２３で構成すると供に、挟持壁３及び外壁４を構成する壁部材２４を樹脂などの別部材として構成することも可能である。
【００４９】
さらに、発光素子としてＬＥＤ素子を使用しているが、これに限定されるものではなく、省電力で高輝度の素子を広く適用可能である。
【符号の説明】
【００５０】
１  照明装置
２ａ，２ｂ  ブロック部材
３  挟持壁
４  外壁
５  結束部材
６  投光面
７  発光素子収納部
８  投光裏面
９  放熱フィン
１０  ＬＥＤ素子
１１  定電流回路
１２  透明蓋
【図１】
2013169629.tif 000003
【図２】
2013169629.tif 000004
【図３】
2013169629.tif 000005
【図４】
2013169629.tif 000006
【図５】
2013169629.tif 000007
【図６】
2013169629.tif 000008
【図７】
2013169629.tif 000009
【図８】
2013169629.tif 000010
【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
ブラスト装置のノズル部分に鍔状に挟装可能に構成された照明装置であって、
円弧形状に構成され投光面に開口して設けられた有底の発光素子収納部と、前記発光素子収納部の開口を閉塞する透明蓋と、前記発光素子収納部の底面を構成し投光裏面に設けられる金属製の放熱フィンとを備え、内周に前記ノズル部分を挟持する挟持壁を有する円弧形容器状のブロック部材が複数組み合わされて構成され、
前記ブラスト装置のノズルの軸に対して周方向に均等になるように、前記各ブロック部材の発光素子収納部の底面に直接搭載され、前記ブラスト装置の研削材射出方向に投光するように配置された複数の発光素子を備えていることを特徴とするブラスト装置用の照明装置。
【請求項２】
前記ブロック部材は、アルミニウムを主成分とする金属で構成されていることを特徴とする、請求項１に記載の照明装置。
【請求項３】
前記ブロック部材は半円弧形状に構成されており、外側面に巻き回されて帯状結束部材により前記ノズル部分に挟装されることを特徴とする、請求項１又は２に記載の照明装置。
【請求項４】
さらに、前記透明蓋に被覆して設けられる網状部材を備えることを特徴とする、請求項１から３のいずれか１つに記載の照明装置。
【請求項５】
作業者に装着可能な携帯式バッテリーを電源装置として有することを特徴とする、請求項１から４のいずれか１つに記載の照明装置。
【請求項６】
前記発光素子は、発光ダイオードであることを特徴とする、請求項１から５のいずれか１つに記載の照明装置。
【請求項７】
前記各ブロック部材は、それぞれ同形に構成されていることを特徴とする、請求項１から６のいずれか１つに記載の照明装置。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
本発明の具体的な第１態様によれば、
ブラスト装置のノズル部分に鍔状に挟装可能に構成された照明装置であって、
円弧形状に構成され投光面に開口して設けられた有底の発光素子収納部と、前記発光素子収納部の開口を閉塞する透明蓋と、前記発光素子収納部の底面を構成し投光裏面に設けられる金属製の放熱フィンとを備え、内周に前記ノズル部分を挟持する挟持壁を有する円弧形容器状のブロック部材が複数組み合わされて構成され、
前記ブラスト装置のノズルの軸に対して周方向に均等になるように、前記各ブロック部材の発光素子収納部の底面に直接搭載され、前記ブラスト装置の研削材射出方向に投光するように配置された複数の発光素子を備えていることを特徴とするブラスト装置用の照明装置を提供する。
【手続補正４】
【補正対象書類名】明細書
【補正対象項目名】００１５
【補正方法】変更
【補正の内容】
【００１５】
本発明の第３態様によれば、前記ブロック部材は半円弧形状に構成されており、外側面に巻き回されて帯状結束部材により前記ノズル部分に挟装されることを特徴とする、第１又は第２態様の照明装置を提供する。
【手続補正５】
【補正対象書類名】明細書
【補正対象項目名】００１８
【補正方法】変更
【補正の内容】
【００１８】
本発明の第６態様によれば、前記発光素子は、白色発光ダイオードであることを特徴とする、第１から第５態様のいずれか１つの照明装置を提供する。また、本発明の第７態様によれば、前記各ブロック部材は、それぞれ同形に構成されていることを特徴とする、第１から第６態様のいずれか１つの照明装置を提供する。
【手続補正６】
【補正対象書類名】明細書
【補正対象項目名】００２４
【補正方法】変更
【補正の内容】
【００２４】
【図１】本発明の実施形態にかかるブラスト作業用照明装置の正面側の構成を示す斜視図である。
【図２】図１のブラスト作業用照明装置の背面側の構成を示す斜視図である。
【図３】図１のブラスト作業用照明装置を取り付けた状態を示す図である。
【図４】図１のIV−IV線における断面図である。
【図５】図１のブラスト作業用照明装置の回路構成を示す図である。
【図６】本発明の実施形態にかかるブラスト作業用照明装置に用いられるブロック部材の変形例を示す断面図である。
【手続補正７】
【補正対象書類名】明細書
【補正対象項目名】００４７
【補正方法】削除
【補正の内容】
【手続補正８】
【補正対象書類名】図面
【補正対象項目名】図６
【補正方法】変更
【補正の内容】
【図６】
2013169629.tif 000011
【手続補正９】
【補正対象書類名】図面
【補正対象項目名】図７
【補正方法】削除
【補正の内容】
【手続補正１０】
【補正対象書類名】図面
【補正対象項目名】図８
【補正方法】削除
【補正の内容】
【手続補正書】
【提出日】平成24年7月10日(2012.7.10)
【手続補正１】
【補正対象書類名】特許請求の範囲
【補正対象項目名】請求項１
【補正方法】変更
【補正の内容】
【請求項１】
ブラスト装置のノズル部分に鍔状に挟装可能に構成された照明装置であって、
円弧形状に構成され投光面に開口して設けられた有底の発光素子収納部と、前記発光素子収納部の開口を閉塞する透明蓋と、前記発光素子収納部の底面を構成し投光裏面に設けられる金属製の放熱フィンとを有し、前記発光素子収納部のノズル側周囲に設けた壁を内周壁とする、円弧形容器状のブロック部材と、
前記ブラスト装置のノズルの軸に対して周方向に均等になるように、前記各ブロック部材の発光素子収納部の底面に直接搭載され、前記ブラスト装置の研削材射出方向に投光するように配置された複数の発光素子を備え、
前記ブロック部材の前記内周壁が、前記ノズル部分を直接挟持する挟持壁となり、前記ブロック部材が複数組み合わされて前記ノズル部分に挟装されることを特徴とするブラスト装置用の照明装置。
【手続補正２】
【補正対象書類名】明細書
【補正対象項目名】００１３
【補正方法】変更
【補正の内容】
【００１３】
本発明の具体的な第１態様によれば、ブラスト装置のノズル部分に鍔状に挟装可能に構成された照明装置であって、
円弧形状に構成され投光面に開口して設けられた有底の発光素子収納部と、前記発光素子収納部の開口を閉塞する透明蓋と、前記発光素子収納部の底面を構成し投光裏面に設けられる金属製の放熱フィンとを有し、前記発光素子収納部のノズル側周囲に設けた壁を内周壁とする、円弧形容器状のブロック部材と、
前記ブラスト装置のノズルの軸に対して周方向に均等になるように、前記各ブロック部材の発光素子収納部の底面に直接搭載され、前記ブラスト装置の研削材射出方向に投光するように配置された複数の発光素子を備え、
前記ブロック部材の前記内周壁が、前記ノズル部分を直接挟持する挟持壁となり、前記ブロック部材が複数組み合わされて前記ノズル部分に挟装されることを特徴とするブラスト装置用の照明装置を提供する。
【手続補正３】
【補正対象書類名】明細書
【補正対象項目名】００４８
【補正方法】変更
【補正の内容】
【００４８】
また、図６に示すように、図１のブロック部材の変形例として、ブロック部材の発光素子収納部の底面７ａ及び放熱フィンを構成する一体の金属部材２３で構成すると供に、挟持壁３及び外壁４を構成する壁部材２４を樹脂などの別部材として構成することも可能である。